(57)【特許請求の範囲】
【請求項１】
集塵機に装着されるカートリッジフィルタであって、
全体として略筒状を成しかつ胴壁が円周方向へ連続する蛇腹状を成すフィルタ本体と、
略筒状を成してこのフィルタ本体の一端にこれと同心して設けられ前記集塵機の取付け部に着脱される連結部と、
前記フィルタ本体内に収容された筒状のリテーナと、
パルスエアを前記フィルタ本体内に吹き込んだ時、このフィルタ本体の胴壁が許容範囲内で和太鼓の胴体のようにフィルタ本体の長手方向における中央部が最大に膨らむことができるように、前記フィルタ本体との間に環状の隙間を設けかつフィルタ本体の長手方向に間隔をおいてフィルタ本体に環装されフィルタ本体の膨らみを制限する複数個の短尺筒状のバンドと、
これらのバンドを前記連結部に懸吊させる懸吊部材と、
を備えたことを特徴とする集塵機のカートリッジフィルタ。
【請求項２】
前記懸吊部材はリボン状を成しかつ前記連結部の円周方向に略等間隔をおいて少なくとも３本以上設けられたことを特徴とする請求項１に記載の集塵機のカートリッジフィルタ。
【請求項３】
前記フィルタ本体と前記バンドとの環状の隙間は、前記フィルタ本体の長手方向における中央部に行くに従って次第に大きくなるか、または変化せず同一であることを特徴とする請求項１に記載の集塵機のカートリッジフィルタ。
【請求項４】
前記バンドは内径を調整可能であることを特徴とする請求項１に記載の集塵機のカートリッジフィルタ。
【発明の詳細な説明】
【０００１】
【発明の属する技術分野】
本発明は、集塵機のカートリッジフィルタの改良に関する。
【０００２】
【従来の技術】
従来、集塵機のカートリッジフィルタの一つとして、ニードルフェルトにより構成され全体として筒状を成し胴壁が円周方向に連続する蛇腹状を成すフィルタ本体と、このフィルタ本体内に収容されたリテーナと、前記フィルタ本体の適宜の位置に密着して巻かれてフィルタ本体が膨らむのを防止するバンドとを備えたものがある。
【０００３】
【発明が解決しようとする課題】
しかしながら、この従来のカートリッジフィルタでは、内部へのパルスエアの噴出によって付着したダスト等の剥離を行った時に、バンドによってフィルタ本体の膨らみあるいは変形が大きく阻止されるため、ダスト等の剥離を十分に行うことができず、それに伴って、ダストの捕集機能が低下するなどの問題があった。
【０００４】
本発明は、上記の問題を解消するために成されたもので、その目的は、フィルタ本体に付着したダスト等の払い落しを効率的に行うことが可能となる集塵機のカ−トリッジフィルタを提供することにある。
【０００５】
【課題を解決するための手段】
上記の目的を達成するために本発明における集塵機のカ−トリッジフィルタは、集塵機に装着されるカートリッジフィルタであって、全体として略筒状を成しかつ胴壁が円周方向へ連続する蛇腹状を成すフィルタ本体と、略筒状を成してこのフィルタ本体の一端にこれと同心して設けられ前記集塵機の取付け部に着脱される連結部と、前記フィルタ本体内に収容された筒状のリテーナと、パルスエアを前記フィルタ本体内に吹き込んだ時、このフィルタ本体の胴壁が許容範囲内で和太鼓の胴体のようにフィルタ本体の長手方向における中央部が最大に膨らむことができるように、前記フィルタ本体との間に環状の隙間を設けかつフィルタ本体の長手方向に間隔をおいてフィルタ本体に環装されフィルタ本体の膨らみを制限する複数個の短尺筒状のバンドと、これらのバンドを前記連結部に懸吊させる懸吊部材と、を備えたことを特徴とする。
【０００６】
このように構成されたものは、フィルタ本体内のへパルスエアの吹込みにより、バンドによってフィルタ本体の膨らみがある程度制限されるが、フィルタ本体は、従来のバンドの場合よりも大きく変化して付着ダストに対する剥離力が大きくなる。
【０００７】
なお、本発明においてフィルタ本体とバンドとの環状の隙間は、パルスエアの圧力、フィルタ本体の柔軟性などによって、その大きさが異なる。そして、特にフィルタ本体とバンドとの間に環状の隙間を設けることにより、フィルタ本体内へのパルスエアの吹込み時に、フィルタ本体の蛇腹を比較的大きく伸ばすようにすることができる。また、フィルタ本体とバンドとの環状の隙間を、フィルタ本体の長手方向における中央部に行くに従って次第に大きくすることにより、パルスエアを吹き込んだ時に、許容範囲内で、バンドに阻止されることなくフィルタ本体の胴壁を和太鼓の胴体のように変形させて付着したダストを剥離することができる。
【０００８】
またなお、前記バンドは、例えば、ポリエステル製にして、内径を調整可能にしてもよい。
またなお、前記懸吊部材は、生産性の観点から、バンドと同じ材質でかつ同じ形態の帯状に製作されるのが望ましく、例えば、ポリエステル製で柔軟性があり、厚さ０.５ｍｍで幅１０ｍｍ程度の帯状が望ましい。これにより、フィルタ本体内へのパルスエアの吹込み時に、バンドのある程度の上下動も可能になる。さらに、前記懸吊部材は、前記バンドを安定した状態で懸吊させるために前記連結部にこれの円周方向にほぼ等間隔をおいて３本以上垂設することが望ましい。７本より多くするとその取り付けなどが面倒になるため、３本から６本が好ましい。
【０００９】
【発明の実施の形態】
次に、本発明の一実施例において図１に基づき詳細に説明する。本カ−トリッジフィルタは、全体として略筒状を成しかつ胴壁が円周方向へ連続する蛇腹状を成すフィルタ本体１と、略筒状を成してこのフィルタ本体１の一端にこれと同心して設けられ前記集塵機の取付け部に着脱される連結部２と、前記フィルタ本体１内に収容された筒状のリテーナ３と、パルスエアを前記フィルタ本体１内に吹き込んだ時、このフィルタ本体１の胴壁が許容範囲内で和太鼓の胴体のようにフィルタ本体１の長手方向における中央部が最大に膨らむことができるように、前記フィルタ本体１との間に環状の隙間を設けかつフィルタ本体の長手方向に間隔をおいてフィルタ本体１に環装されフィルタ本体１の膨らみを制限する複数個の短尺筒状のバンド４・４と、これらのバンド４・４を前記連結部に懸吊させる懸吊部材としてのリボン５・５と、で構成してある。
【００１０】
そして、前記フィルタ本体１はスパンボンドで構成してある。また、前記連結部２は、合成樹脂製であって、図示しない集塵機における外形が下細り状を成す筒状の支持部材にこれを挿入させて取付け可能な構造になっており、さらに、内形が前記支持部材の外径寸法より若干長い（例えば約２〜８mm程度長い）内径寸法をしていて前記支持部材の外形と相似する上広がり状を成しかつ内面に複数の環状凸部が突設してある。これにより、前記支持部材を前記連結部２内に挿入すると、前記連結部２の凸部の収縮による把持力と、前記連結部２および前記支持部材の相互の摩擦力により、前記連結部２は前記支持部材に固定することができる。
【００１１】
また、前記リテーナ３は、縦・横に格子状のポリプロピレン樹脂によって製作してある。また前記バンド４・４は、幅２０ｍｍ、厚み１ｍｍであって、フィルタ本体１とバンド４・４との環状の隙間は、フィルタ本体１の長手方向における中央部に行くに従って次第に大きくなっている。また、
前記リボン５・５は、前記連結部２の下面に、これの円周に沿ってほぼ等間隔をおいて４本垂設してあり、さらに、ナイロン製で厚さ０.５ｍｍ、幅１０ｍｍである。
【００１２】
このように構成したものは、図示しない集塵機にカートリッジフィルタを取り付けて集塵をすると、ダストの捕集がある程度されたときにフィルタ本体１の胴壁にダストが付着するため、パルスエアをフィルタ本体１内に吹き込む。すると、フィルタ本体１の胴壁は
、許容範囲内でバンド４・４に阻止されることなく、和太鼓の胴体のようにフィルタ本体１の長手方向における中央部が最大に膨らむように変形され、これに伴って、蛇腹が可能な限り伸ばされ、このようなフィルタ本体１の胴壁の膨張現象はパルスエアの吹込みによって繰り返される。この結果、フィルタ本体１の胴壁は強制振動されて可及的に大きく変形し、フィルタ本体１に付着したダストが剥離させることとなる。
【００１３】
なお、上記の実施例では連結部２は、上広がり状を成しかつ内面に複数の環状凸部が突設してあって、集塵機の取付け部との摩擦力等によって固定されるようになっているが、この構造に限定されるものではなく、慣用手段で固定するようにしてもよい。
【００１４】
【発明の効果】
上記の説明から明らかなように、本発明は、集塵機に装着されるカートリッジフィルタであって、全体として略筒状を成しかつ胴壁が円周方向へ連続する蛇腹状を成すフィルタ本体と、略筒状を成してこのフィルタ本体の一端にこれと同心して設けられ前記集塵機の取付け部に着脱される連結部と、前記フィルタ本体内に収容された筒状のリテーナと、パルスエアを前記フィルタ本体内に吹き込んだ時、このフィルタ本体の胴壁が許容範囲内で和太鼓の胴体のようにフィルタ本体の長手方向における中央部が最大に膨らむことができるように、前記フィルタ本体との間に環状の隙間を設けかつフィルタ本体の長手方向に間隔をおいてフィルタ本体に環装されフィルタ本体の膨らみを制限する複数個の短尺筒状のバンドと、
これらのバンドを前記連結部に懸吊させる懸吊部材と、を備えたから、フィルタ本体に付着したダスト等の剥離を効率的に行うことが可能となるなどの優れた効果を奏する。
【図面の簡単な説明】
【図１】本発明の一実施例を示す斜視図である。
【符号の説明】
１ フィルタ本体
２
連結部
３
リテーナ
４
バンド
５
リボン
【図１】
0003775665.tif 000002